(57)【要約】【課題】在来の木製簡易額縁等に比べて、作品の差替操作等の使い勝手が遙かに良く、軽量・安価に作れ、廃棄後のゴミ処理問題も軽減出来る等の特長を備えた紙製額縁を提供する。  【解決手段】ハニカム様構造の矩形軽量ボードから成るコアパネル１０の四辺の各縁辺部に、角樋状に折曲した縁取部材２０を覆い被せ、  コアパネルの上面と、四辺のうちの三辺側の縁取部材２０Ａとの間に、写真、絵画、書、等の作品の周縁部を差し込ませる差込用空隙Ｓを形成させる為の帯板状のスペーサー３０を介在させ、三辺側の縁取部材の上面には、矩形フレーム状の表装板４０を重ねて、上記各部材を接合々体させる。  別体の、残る一辺側の縁取部材２０Ｂは着脱自在にして、作品をこの一辺側から差込用空隙Ｓに挿・脱させる。  縁取部材２０の下面片ｂに、左右一組の紐掛片２２を、吊紐２３が引っ張られる方向に立ち上がる様にして、切起状に設ける。
2004100732.tif 000002
【特許請求の範囲】
【請求項１】
ハニカム様構造を備えた矩形軽量ボードから成るコアパネル１０と、
コアパネル１０の四辺の各縁辺部に覆い被せる、角樋状に折曲された縁取部材２０と、
コアパネル１０の上面と、その四辺のうちの三辺の夫々に固着状態で被せる三辺側の縁取部材２０Ａの上面片ａとの間に介在させて、写真、絵画、書、等の作品の周縁部を差し込ませる差込用空隙Ｓを形成させる為の、帯板状のスペーサー３０と、
三辺側の縁取部材２０Ａの上面に固着状態で覆い被せて美装する為の、矩形フレーム状の表装板４０とを備えており、
前記四辺のうちの残る一辺には、一辺側の縁取部材２０Ｂを着脱自在に覆い被せることにより、前記作品を、この一辺側から差込用空隙Ｓに挿・脱させられる様にしたことを特徴とする紙製額縁。
【請求項２】
着脱自在の一辺側の縁取部材２０Ｂには、コアパネル１０と縁取部材２０との間に設けた嵌込用スペースｃに、圧入状態で嵌し込ませ得る厚さの嵌込片２１を取付けたことを特徴とする請求項１記載の紙製額縁。
【請求項３】
縁取部材２０の下面片ｂには、額縁を垂支する吊紐２３を結び付ける為の左右一組の紐掛片２２を、切起状に設けたことを特徴とする請求項１記載の紙製額縁。
【請求項４】
紐掛片２２は、額縁の自重により吊紐２３が引っ張られる方向と同方向に立ち上がる様に設けられていることを特徴とする請求項３記載の紙製額縁。
【請求項５】
矩形フレーム状の表装板４０は、その内周縁部を、スペーサー３０の内側縁から幾分突出させ、且つ、一辺側の縁取部材２０Ｂと対向して位置する三辺側の縁取部材２０Ａと、コアパネル１０との間には、差込用空隙Ｓを設けない様にしたことを特徴とする請求項１記載の紙製額縁。
【発明の詳細な説明】
【技術分野】
【０００１】  本発明は、写真、絵画、書等の作品を、取替自在に収める為の、板紙や、ハニカム様構造を備えた紙製の軽量ボート等を主たる材料として作られ、作品の差し替え操作が簡単、外観がスマート、低コスト、軽量、廃棄後の処分が容易、紙資源として再生使用可能、等の多くの特長を備えた紙製額縁に関する。
【背景技術】
【０００２】  図１０，図１１に、従来の、写真展示用の簡易型額縁の代表的な構造を例示した。
この簡易型額縁２００は、木製でパネル状の額縁本体５１と、厚板紙製の額縁枠５２とを組合わせた構成を備えている。
額縁本体５１は、写真Ｄより一回り大きい矩形合板５１ａを、桟木５１ｂで裏打補強した形態を備え、額縁枠５２は、矩形厚板紙の真ん中に、写真Ｄより幾分小さい刳抜窓５２ａを設けた形態を備えている。
額縁枠５２の裏側面には、両面粘着シート５３を貼り付けている。【０００３】  簡易型額縁２００の使い方は、図１１に示した様に、先ず、額縁本体５１の上面の所定位置に、写真Ｄを載置し固定する。
そして、両面粘着シート５３の表面側の離型紙を剥がした状態の額縁枠５２を、写真Ｄの周縁部に覆い被せて押圧力を及ぼすと、額縁枠５２は、粘着剤を介して額縁本体５１の周縁部に固着される。
かくして、簡易型額縁２００への写真の装着と、額縁の組立とが完了する。【０００４】  尚、両面粘着シート５３の代わりに、付属の、チューブ入り接着剤を、額縁枠５２の裏面に塗布するタイプのものもある。
図１１中の５４は、額縁の吊紐を通す為の吊金具で、その脚部を額縁本体５１に螺じ込ませている。
【発明の開示】
【発明が解決しようとする課題】
【０００５】  上記の構造を備えた従来の簡易型額縁２００は、収めてある写真を、別の写真に取り替えたい時には、額縁枠５２を、両面粘着シート５３の部分で、額縁本体５１から剥がし取ることも可能ではあるが、実際には、粘着力が低下していたり、接合箇所が傷付く等するので、使い捨てにされる場合が多い。
その為、額縁の買い換え費用、資源浪費、ゴミ処理問題等の観点からして、多分に改良すべき余地が残されている。【０００６】  そこで、本願発明者は、上記に類する構造を備えた、在来の木製の簡易型額縁が抱える、上述の様な少なからぬ難点を解消すべく、全く新しい発想に基づいて、素材として紙だけを用いた簡易額縁を創案し、先に、「特願２００３−５０６４７」として特許出願済みである。【０００７】  ところが、この新しいタイプの簡易額縁にも、写真、絵画、書、等の作品の差し替え操作の容易さ、額縁の組上がり形状の保持性等の点で、尚、改良すべき余地が残されていた。【０００８】  そこで、本発明の目的は、上記先願発明「特願２００３−５０６４７」の簡易額縁に比べて、作品の差し替え易さ、組上がり形状の保持性の他に、額縁の吊紐の取付け方、耐久性等の点でも更に改良を施した紙製額縁を提供するにある。
【課題を解決するための手段】
【０００９】  上記の目的を達成する為の、本発明による紙製額縁は、
ハニカム様構造を備えた矩形軽量ボードから成るコアパネル１０と、
コアパネル１０の四辺の各縁辺部に覆い被せる、角樋状に折曲された縁取部材２０と、
コアパネル１０の上面と、その四辺のうちの三辺の夫々に固着状態で被せる三辺側の縁取部材２０Ａの上面片ａとの間に介在させて、写真、絵画、書、等の作品の周縁部を差し込ませる差込用空隙Ｓを形成させる為の、帯板状のスペーサー３０と、
三辺側の縁取部材２０Ａの上面に固着状態で覆い被せて美装する為の、矩形フレーム状の表装板４０とを備えており、
前記四辺のうちの残る一辺には、一辺側の縁取部材２０Ｂを着脱自在に覆い被せることにより、前記作品を、この一辺側から差込用空隙Ｓに挿・脱させられる様にしたことを特徴とする。
そして、着脱自在の一辺側の縁取部材２０Ｂには、コアパネル１０と縁取部材２０との間に設けた嵌込用スペースｃに、圧入状態で嵌し込ませ得る厚さの嵌込片２１を取付けたことも特徴とする。
又、縁取部材２０の下面片ｂには、額縁を垂支する吊紐２３を結び付ける為の左右一組の紐掛片２２を、切起状に設けたことも特徴とする。
この紐掛片２２は、額縁の自重により吊紐２３が引っ張られる方向と同方向に立ち上がる様に設けるとよい。
更に、表装板４０は、その内周縁部を、スペーサー３０の内側縁から幾分突出させ、且つ、一辺側の縁取部材２０Ｂと対向する三辺側の縁取部材２０Ａと、コアパネル１０との間には、差込用空隙Ｓを設けない様にしたことも特徴とする。
【発明の効果】
【００１０】  本発明による紙製額縁は、既存の木製の簡易額縁や、先願発明のものに比べて、以下に列挙した如き実用上のより優れた特長を備えている。
（ａ）安価で加工性も優れた紙だけで作られているので、木製のものに比べて格段安価に提供出来る。然も、軽く作れる。
（ｂ）既存の木製の簡易額縁とは異なって、別の作品に簡単に差し替えられ、反復使用出来る。
（ｃ）この差替操作は、先願発明のものに比べて、より簡単・迅速に行えて使い勝手に優れる。
（ｄ）即ち、作品の挿・脱用の開口部を塞ぐ役割も果たす、一辺側の縁取部材を、コアパネルの一辺側に覆い被せたり、取り外すだけで、作品を差し替えられる。
（ｅ）コアパネルの一辺側に脱・着自在の一辺側の縁取部材が、何等かのはずみで脱落する恐れは、付設した嵌込片によってほぼ解消させられる。
（ｆ）切起状に形成させる紐掛片は、吊紐が、額縁の重さで引っ張られる方向と同方向に立ち上がる様に設けて置けば、この引張力が、一辺側の縁取部材の脱落を防ぐ方向に作用して、より確実に脱落を防げる。
（ｇ）又、上記の引張力が、紐掛片を引き千切る様な方向に作用する恐れも無くなり、額縁の耐久性を高められる。
（ｈ）額縁の吊金具を、別個に作って取り付ける手間と経費を省ける。
（ｉ）一辺側の縁取部材と対向して位置する三辺側の縁取部材と、コアパネルとの間には、差込用空隙を設けずに置けば、撓み変形し易い薄手の作品を、額縁に差し込む際に、その先端が差込用空隙の縁部に引っ掛かって、完全に差し込めなくなる恐れを解消出来る。
（ｊ）額縁を廃棄した後の処分も行い易いし、紙に再生させることも出来る。
【発明を実施するための最良の形態】
【００１１】  以下に、本発明の一実施例に就いて、図１〜図９を参照しながら説明する。
図１は、この実施例の紙製額縁Ａ（以後、単に額縁と言う）を表側から見た斜視図、図２は、裏側から見た斜視図、図３〜図６は、額縁Ａの各構成部材を分解して示した各斜視図である。
そして、図７は、図１のＸ−Ｘ線に沿う拡大縦断面図、図８は、図１のＹ−Ｙ線に沿う拡大縦断面図、図９は、額縁Ａに、作品Ｂを差し込む操作を説明した部分斜視図である。【００１２】  先ず、額縁Ａの概略の構成に就いて、図１，図２及び図７，図８を参照しながら説明する。
額縁Ａは、厚肉の矩形軽量ボードから成るコアパネル１０と、その四辺の各縁辺部に覆い被せる（図７参照）為の角樋状の縁取部材２０と、コアパネル１０の上面と縁取部材２０の間に介在させて、写真、絵画、書、等の作品Ｂの周縁部を差し込ませる差込用空隙Ｓ（図８参照）を形成させる為の、帯板状のスペーサー３０と、縁取部材２０の上面に覆い被せて美装する為の、矩形フレーム状の表装板４０とを備えている。【００１３】  次に、額縁Ａの細部の構造に就いて、順次説明する。
図３に示したコアパネル１０は紙製で、表板と裏板との間に、ハニカム構造のコア材を挟み込んだ形態を備えている。その大きさは、額縁Ａよりは僅かに小さい。【００１４】  図４及び図５に示した縁取部材２０は板紙製で、長尺帯板を横断面コ字形の角樋状に折曲して作られている。
コアパネル１０の四辺を取り巻く様に覆い被せられる縁取部材２０は、その全長のうち、コアパネル１０の三辺に跨がって固着状態で覆い被せられる、図４に示した、三辺側の縁取部材２０Ａと、残る一辺に着脱自在に覆い被せられる、図５の（ａ）に示した一辺側の縁取部材２０Ｂとに、二分割されている。【００１５】  三辺側の縁取部材２０Ａには、図４に示した様に、平面視コ字形に折曲させる為のＶカット個所を、２個所に設けている。
又、両端部は、内向きに４５度の角度で斜めにカットしている。【００１６】  一辺側の縁取部材２０Ｂは、図５に示した様に、その両端部を、内向きに４５度の角度で斜めにカットしている。
そして、一辺側の縁取部材２０Ｂを構成する上面片ａには、図５の（ｂ）に示した様に、その裏面側に、平面視コ字形でその両脚部分を嵌込部２１ａとした、板紙製の嵌込片２１を、図５の（ａ）に示した様に、嵌込部２１ａを突出させた状態で貼着している。嵌込片２１の機能に就いては後述する。
嵌込片２１の厚さは、スペーサー３０（差込用スペースｃ）の厚みより僅かに厚くしている。【００１７】  一辺側の縁取部材２０Ｂは、作品Ｂを、額縁Ａに収めたり、別の作品に差し替える都度、コアパネル１０の一辺側に脱・着させるので、その際に、図５に示した角樋形状を、崩れることなく強固に保たせる為の対策が必要になる。
そこで、この実施例では、帯状板紙片から角樋形状を折上げる際に、その折目に沿って設けたＶカット溝に、接着剤を塗布する方法を採っている。【００１８】  図２に示した様に、縁取部材２０の下面片ｂには、額縁Ａを部屋の壁面等に垂支させる吊紐２３を結び付ける為の、紐通孔を備えた紐掛片２２を、縦向き垂支用と、横向き垂支用の各左右一組づつ、計４個所に切起状に設けている。
この紐掛片２２は、図２から理解される様に、額縁Ａの自重により吊紐２３が引っ張られる方向と同方向に立ち上がる様に設けている。【００１９】  紐掛片２２は、その立上用の折目に沿って反復折り曲げられる可能性があるので、千切れない様に、裏面側に補強用のテープ（図示略）を貼着させたり、補強用の樹脂を含浸させる等するとよい。【００２０】  次に、スペーサー３０は、図３に示した様に、板紙製の帯板片から成り、図８に示した様に、その横幅寸法は、三辺側の縁取部材２０Ａの上面片ａ（図４参照）の横幅よりも、所定幅だけ狭くしている。
これよって、三辺側の縁取部材２０Ａの上面片ａと、コアパネル１０の上面との間には、図８に示した様に、作品Ｂの周縁部を差し込ませる差込用空隙Ｓが形成される。【００２１】  但し、コ字形に連なった三辺側の縁取部材２０Ａのうち、真ん中の縁取部材２０Ａは、後述する事情の為に、図３，図４に示した様に、その横幅寸法をスペーサー３０の横幅と同じにして、差込用空隙Ｓを設けない様にしている。【００２２】  又、図３に示した様に、コアパネル１０の長辺側に配置した２枚のスペーサー３０は、一辺側の縁取部材２０Ｂが被せられる側を、所定長さだけカットとして、いる。
このカット部分は、既述の嵌込片２１の嵌込部２１ａを挿嵌させる、嵌込用スペースｃを形成させる為に設けたものである（図７の左側部分参照）。【００２３】  次に、図６に示した矩形フレーム状の表装板４０は、厚手の板紙製で、コアパネル１０より幾分小さ目に裁断されている。
そして、作品Ｂを露出させる為の刳抜窓４１の周側面ｄは、垂直面ではなくて、内向きに傾斜する斜面に形成している。
そして、この実施例の表装板４０は、黒色に彩色し、周側面ｄを白色に彩色することによって、美的なコントラスト効果が得られる様にしている。【００２４】  次に、額縁Ａの組立方に就いて、その一例を説明する。
先ず、図３に示した様に、コアパネル１０の上面に、その三辺に沿わせる配置で、スペーサー３０を貼り付ける。
続いて、スペーサー３０を貼付済みのコアパネル１０の三辺に、三辺側の縁取部材２０Ａを、接着状態で覆い被せる。【００２５】  これによって、三辺側の縁取部材２０Ａの上面片ａの内側縁部には、図８に示した様に、その下面側に、作品Ｂの周縁部を差し込ませる為の差込用空隙Ｓが形成される。
但し、コ字形に連なった三辺側の縁取部材２０Ａのうちの、真ん中の縁取部材２０Ａには、既述の様に、上面片ａの横幅寸法がスペーサー３０の幅と同じなので、図７に右側部分に示した様に、差込用空隙Ｓは形成されない。【００２６】  又、図３に示した様に、コアパネル１０の長辺側に配置したスペーサー３０の長さを、一部カットした部分には、一辺側の縁取部材２０Ｂに突設した嵌込部２１ａを挿嵌させる為の、嵌込用スペースｃが形成される。【００２７】  そして最後に、三辺側の縁取部材２０Ａの上面片ａの上に、表装板４０を重ね合わせて接着し固定させる。
以上の至極簡単な組立作業を経て、額縁Ａは、着脱自在の一辺側の縁取部材２０Ｂを取り外した状態で組上がる。【００２８】  一辺側の縁取部材２０Ｂを、額縁Ａに取付けるには、コアパネル１０の、三辺側の縁取部材２０Ａを取付けいない残る一辺に、一辺側の縁取部材２０Ｂを、単に覆い被せるだけでよい。
すると、一辺側の縁取部材２０Ｂの内側縁から突出ている嵌込部２１ａ（図５参照）が、図７の左側部分に示した様に、嵌込用スペースｃに挟み込まれる。【００２９】  嵌込部２１ａの厚さは、既述の様に、嵌込用スペースｃの厚み、従って、スペーサー３０の厚さよりは、幾分厚くしてある。
その為、嵌込部２１ａは、嵌込用スペースｃに強制的に押し込まれた状態になり、額縁Ａを普通に取り扱っている限りに於いて、一辺側の縁取部材２０Ｂがズレ動いたり脱落する恐れはない。【００３０】  次に、額縁Ａに作品Ｂを収める時には、上述の如くして組付け済みの一辺側の縁取部材２０Ｂを、一旦、取り外す（図９参照）。
すると、図９に示した様に、額縁Ａの左側端には、コアパネル１０と、表装板４０（及び三辺側の縁取部材２０Ａ）との間に、作品Ｂの差込用のスリットｅが開口した状態になる。【００３１】  そこで、図９に仮想線で示した様に、作品Ｂをこのスリットｅに差し込んで行くと、作品Ｂの左右の縁辺部が、自づから左右の差込用空隙Ｓに夫々嵌め込まれる。
そして、作品Ｂの先端縁が、対向して位置するスペーサー３０に当接することによって、差込操作は完了する。【００３２】  この様に、作品Ｂの差込方向の先端縁を、あえて、差込用空隙Ｓに嵌め込ませない様にすれば、例えば、薄くて撓み変形し易い作品Ｂの場合は、その先端縁が差込用空隙Ｓの入口縁部に引っ掛かってしまい、完全な差込状態にセット出来なくなる不都合は、起こらなくなる。
そして、この先端縁は、図７の右側部分を見れば理解される様に、表装板４０の内縁部が、スペーサー３０の内側縁から幾分突出した個所の下側に収め込まれるので、格別の不具合は生じない。【００３３】  作品Ｂを、額縁Ａに差し込み終えたら、一旦、取り外してあった一辺側の縁取部材２０Ｂを、取り外し前の状態に戻す（図２参照）。
最後に、図２に示した様に、縁取部材２０の下面片ｂに設けられた左右一組の紐掛片２２に、吊紐２３を掛け渡せば、額縁Ａを壁に掛けられる状態になる。【００３４】  壁に掛けると、下面片ｂに切起状に設けた紐掛片２２は、額縁Ａの自重により吊紐２３が引っ張られる方向と同方向に立ち上がる。
その為、額縁Ａを横向きに掛ける時には、吊紐２３が及ぼす引張力が、図２中に符号ｆを付して矢示した様に、一辺側の縁取部材２０Ｂを、コアパネル１０に向けて嵌込付勢する力として作用する。【００３５】  これによって、額縁Ａに何等かの不用意な外力を及し時に、一辺側の縁取部材２０Ｂが脱落してしまう恐れは完全に無くなる。
額縁Ａを縦向きに飾る時には、一辺側の縁取部材２０Ｂが上側に位置する状態で壁に掛ければよい。
【図面の簡単な説明】
【００３６】［図１］本発明の一実施例を示すもので、額縁を表側から見た斜視図である。
［図２］同上、額縁を裏側から見た斜視図である。
［図３］同上、コアパネルの上面にスペーサーを貼り付けた状態の斜視図である。
［図４］同上、三辺側の縁取部材の斜視図である。
［図５］同上、一辺側の縁取部材に嵌込片を貼着させた状態、及び嵌込片の各斜視図である。
［図６］同上、表装板の斜視図である。
［図７］同上、図１のＸ−Ｘ線に沿う拡大縦断面図である。
［図８］同上、図１のＹ−Ｙ線に沿う拡大縦断面図である。
［図９］同上、額縁から、一辺側の縁取部材を取り外し、作品を、差込用空隙に差し込みつつある状態を示す部分斜視図である。
［図１０］既存の木製の簡易型額縁の一例を示すもので、表側から見た斜視図である。
［図１１］同上、図１０のＺ−Ｚ線に沿う縦断面図である。
【図１】
2004100732.tif 000003
【図２】
2004100732.tif 000004
【図３】
2004100732.tif 000005
【図４】
2004100732.tif 000006
【図５】
2004100732.tif 000007
【図６】
2004100732.tif 000008
【図７】
2004100732.tif 000009
【図８】
2004100732.tif 000010
【図９】
2004100732.tif 000011
【図１０】
2004100732.tif 000012
【図１１】
2004100732.tif 000013
【国際調査報告】
2004100732.tif 000014
2004100732.tif 000015
2004100732.tif 000016
2004100732.tif 000017